(57)【特許請求の範囲】
【請求項１】
多重部と複数のチャネル盤とを送信バスと受信バスとを介して接続した多重伝送装置に於いて、
前記チャネル盤に、前記送信バスに接続したデータ送信部と、前記受信バスに接続したデータ受信部と、前記送信バスに接続した補助送信部と補助受信部との何れか一方又は両方を設け、
前記補助送信部は、前記送信バス上のフレームパルスに相当する位置の空きビットに他のチャネル盤に転送する補助信号を構成する補助ビットを挿入して送出する構成を有し、
前記補助受信部は、前記送信バス上の前記フレームパルスに相当する位置に挿入された他のチャネル盤からの前記補助ビットを抽出する構成を有する
ことを特徴とする多重伝送装置。
【請求項２】
前記複数のチャネル盤の少なくとも一つのチャネル盤に、複数ビット構成の補助信号を生成する補助信号生成部と、該補助信号生成部からの前記補助信号を構成する複数ビットの各ビットを、前記送信バス上のフレームパルスに相当する位置の空きビットに補助ビットとして順次挿入して送出する補助送信部とを設け、他の少なくとも一つのチャネル盤に、前記送信バス上のフレームパルスに相当する位置に挿入された他のチャネル盤からの前記補助ビットを抽出する補助受信部と、該補助受信部により抽出した補助ビットを組立てて補助信号を処理する補助信号認識部とを設けたことを特徴とする請求項１記載の多重伝送装置。
【請求項３】
前記複数のチャネル盤の中の一つのチャネル盤をマスタとし、他のチャネル盤をスレーブとし、前記マスタのチャネル盤に、前記複数のチャネル盤間の同期をとる為のタイミング信号を生成するマスタタイミング発生部と、該マスタタイミング発生部からのタイミング信号を前記送信バス上のフレームパルスに相当する位置の空きビットに補助ビットとして挿入して送出する補助送信部とを設け、前記スレーブのチャネル盤に、前記送信バス上のフレームパルスに相当する位置に挿入された補助ビットとしての前記タイミング信号を抽出する補助受信部と、該補助受信部により抽出した前記タイミング信号に同期したデータ処理のタイミング信号を生成するスレーブタイミング発生部とを設けたことを特徴とする請求項１記載の多重伝送装置。
【請求項４】
前記複数のチャネル盤の中の一つのチャネル盤に、機能設定信号を出力する機能設定制御部と、該機能設定制御部からの前記機能設定信号を前記送信バス上のフレームパルスに相当する位置の空きビットに順次補助ビットとして挿入して送出する補助送信部とを設け、他のチャネル盤に、前記送信バス上のフレームパルスに相当する位置に補助ビットとして挿入された前記機能設定信号を抽出する補助受信部と、該補助受信部により抽出した前記機能設定信号により該チャネル盤内の機能設定を行う機能設定受動部とを設けたことを特徴とする請求項１記載の多重伝送装置。
【請求項５】
前記複数のチャネル盤に、前記送信バスに接続したデータ送信部と、前記受信バスに接続したデータ受信部と、前記送信バスにそれぞれ接続した補助送信部と補助受信部と、該補助送信部と補助受信部との何れか一方を選択的に動作させるように制御する選択制御部とを設けたことを特徴とする請求項１記載の多重伝送装置。
【請求項６】
多重部と複数のチャネル盤とを送信バスと受信バスとを介して接続した多重伝送装置に於けるチャネル盤間通信方法に於いて、
前記複数のチャネル盤は、前記送信バスに接続したデータ送信部と、前記受信バスに接続したデータ受信部と、前記送信バスに接続した補助送信部と補助受信部との少なくとも何れか一方とを有し、一方のチャネル盤の前記補助送信部から、前記送信バス上のフレームパルスに相当する位置の空きビットに、補助信号を補助ビットとして挿入して送信し、他方のチャネル盤の前記補助受信部により、前記送信バス上のフレームパルスに相当するビット位置に挿入された前記補助ビットを抽出し、該補助ビットによりチャネル盤間の通信を行う過程を含む
ことを特徴とするチャネル盤間通信方法。
【請求項７】
前記複数のチャネル盤の中の一つをマスタとし、他のチャネル盤をスレーブとして、前記マスタのチャネル盤からのタイミング信号を、前記送信バス上のフレームパルスに相当する位置の空きビットに補助ビットとして挿入して、前記送信バスに送出し、前記スレーブのチャネル盤に於いて、前記送信バス上のフレームパルスに相当するビット位置に挿入された前記補助ビットを抽出して前記タイミング信号を受信し、前記マスタのチャネル盤と前記スレーブのチャネル盤とのデータ処理を同期化させる過程を含むことを特徴とする請求項６記載のチャネル盤間通信方法。
【請求項８】
前記複数のチャネル盤の中の一つのチャネル盤に設けた機能設定制御部から他のチャネル盤の機能を設定する機能設定信号を出力し、該機能設定信号を前記補助送信部から前記送信バス上のフレームパルスに相当する位置の空きビットに補助ビットとして順次挿入して送出し、前記他のチャネル盤の補助受信部により、前記送信バス上のフレームパルスに相当するビット位置に挿入された補助ビットを順次抽出して、機能設定信号を形成し、該機能設定信号により該チャネル盤の機能を設定する過程を含むことを特徴とする請求項６記載のチャネル盤間通信方法。
【発明の詳細な説明】
【０００１】
【発明の属する技術分野】
本発明は、多重部と複数のチャネル盤とを送信バスと受信バスとを介して接続した多重伝送装置及び複数のチャネル盤間で送信バスを介して通信するチャネル盤間通信方法に関する。
【０００２】
【従来の技術】
図１６は多重伝送装置の説明図であり、２４チャネル多重化して、１．５４４ＭｂｐｓのＰＣＭ送信信号ＰＣＭＳを送信する多重送信部３と、ＰＣＭ受信信号ＰＣＭＲを受信する多重受信部４とを含む多重部１と、２４チャネル分のチャネル盤２−１〜２−２４とを送信バス９と受信バス１０とを介して接続した構成を有し、各チャネル盤２−１〜２−２４は、それぞれ図示を省略した端末装置等を接続して、６４ｋｂｐｓのデータの送受信を行うデータ送信部５とデータ受信部６とを備えている。
【０００３】
送信バス９及び受信バス１０上には、２４チャネル分のデータが多重化されたバス送信信号ＶＦＳ及びバス受信信号ＶＦＲとして転送されるもので、チャネル盤２−１〜２−２４のデータ送信部５に於いては、多重部１から供給されるマスタクロック信号と送信チャネルタイミング信号とに従った所定のタイミングでデータを送信バス９に１．５４４Ｍｂｐｓの速度で送出する。この場合、フレームパルスに相当する位置は空きビットとしたフレーム構成とする。そして、多重送信部３に於いて空きビット位置にフレーム同期用のフレームパルスを挿入してＰＣＭ送信信号ＰＣＭＳとする。又データ受信部６は、多重部１から供給されるマスタクロック信号と受信チャネルタイミング信号等に従った所定のタイミングで多重受信部４から送出された受信バス１０上にある１．５４４Ｍｂｐｓのデータを受信処理するものである。
【０００４】
【発明が解決しようとする課題】
多重伝送装置の機能アップ等の為に、チャネル盤２−１〜２−２４間でタイミング信号等を送受信することが要望されている。その場合、例えば、図１７に示すように、チャネル盤２−１に補助送信部７１と補助受信部７２とを設け、チャネル盤２−２に補助送信部７３と補助受信部７４とを設けて、信号線７５により接続する構成が考えられる。又他のチャネル盤２−３〜２−２４にもそれぞれ補助送信部と補助受信部とを設けて、それぞれを個別の信号線或いは信号線７５をバス形式として相互に接続することも考えられる。
【０００５】
しかし、既設の多重伝送装置に於いては、バックパネル等に於ける信号線は余分なものが存在しない場合が一般的である。従って、新たな信号線を設けることになるが、その為の改造工事が必要となる。この改造工事の期間は、多重伝送装置の運用を停止する必要があり、従って、既設の多重伝送装置の機能拡張等は困難であると共に信号線の配置が複雑となる問題がある。
本発明は、信号線を増設することなく、チャネル盤間の信号伝送を可能とし、多重伝送装置の機能アップを図ることを目的とする。
【０００６】
【課題を解決するための手段】
本発明の多重伝送装置は、図１を参照して説明すると、多重部１と複数のチャネル盤２−１〜２−２４とを送信バス９と受信バス１０とを介して接続した多重伝送装置であって、チャネル盤２−１〜２−２４に、送信バス９に接続したデータ送信部５と、受信バス１０に接続したデータ受信部６と、送信バス９に接続した補助送信部７と補助受信部８との何れか一方又は両方を設け、補助送信部７は、送信バス９上のフレームパルスに相当する位置の空きビットに他のチャネル盤に転送する補助信号を構成する補助ビットを挿入して送出する構成を有し、補助受信部８は、送信バス９上のフレームパルスに相当する位置に挿入された他のチャネル盤からの補助ビットを抽出する構成を有するものである。即ち、既設の送信バス９を用いてチャネル盤間の通信を行うものである。
【０００７】
又複数のチャネル盤２−１〜２−２４の少なくとも一つのチャネル盤に、複数ビット構成の補助信号を生成する補助信号生成部を設けて、補助信号を補助ビットとして送信バス９に送出する補助送信部７に接続し、他の少なくとも一つのチャネル盤に、補助受信部８により受信抽出し送信バス９上の補助ビットを、補助信号に組立てて処理する補助信号認識部を、補助受信部８に接続した構成とすることができる。
【０００８】
又複数のチャネル盤２−１〜２−２４の中の一つのチャネル盤をマスタとし、他のチャネル盤をスレーブとし、マスタのチャネル盤に、複数のチャネル盤間の同期をとる為のタイミング信号を生成するマスタタイミング発生部を設けて、タイミング信号を補助ビットとして送信バス９に送出する補助送信部７に接続し、スレーブのチャネル盤に、補助受信部８を設け、この補助受信部９により、送信バス９上の補助ビットとして抽出したタイミング信号に同期したデータ処理のタイミング信号を生成するスレーブタイミング発生部を設けることができる。又複数のチャネル盤２−１〜２−２４に補助送信部７と補助受信部８とを設け、補助送信部７と補助受信部８とを選択的に動作させるように制御する選択制御部を設けることができる。
【０００９】
又複数のチャネル盤２−１〜２−２４の中の一つのチャネル盤に、機能設定信号を出力する機能設定制御部を設けて、機能設定信号を補助ビットとして送信バス９に送出する補助送信部７に接続し、他のチャネル盤に、補助受信部８により送信バス９上の補助ビットして抽出した機能設定信号により、チャネル盤内の機能を設定する機能設定受動部を設けることができる。又複数のチャネル盤２−１〜２−２４に補助送信部７と補助受信部８とを設け、補助送信部７と補助受信部８とを選択的に動作させるように制御する選択制御部を設けることができる。
【００１０】
又本発明のチャネル盤間通信方法は、多重部１と複数のチャネル盤２−１〜２−２４とを送信バス９と受信バス１０とを介して接続した多重伝送装置に於けるチャネル盤間通信方法であって、送信バス上のバス送信信号のフレームパルスに相当するビット位置に、一方のチャネル盤に於いて補助ビットを挿入し、他方のチャネル盤に於いて前記送信バス上の前記補助ビットを抽出し、該補助ビットを用いてチャネル盤間の通信を行う過程を含むものである。
【００１１】
又複数の補助ビットにより補助信号フレームを形成して、チャネル盤間の通信を行う過程を含むことができる。又複数のチャネル盤２−１〜２−２４の中の一つをマスタとし、他のチャネル盤をスレーブとして、マスタのチャネル盤からのタイミング信号を補助ビットとして挿入して送信バス９に送出し、スレーブのチャネル盤に於いて、送信バス９上の補助ビットとしてのタイミング信号を抽出して、マスタのチャネル盤と、スレーブのチャネル盤とのデータ処理を同期化させる過程を含むことができる。
【００１２】
又複数のチャネル盤２−１〜２−２４の中の一つのチャネル盤に設けた機能設定制御部から他のチャネル盤の機能を設定する機能設定信号を出力し、機能設定信号を補助送信部７から送信バス９上の空きビットに補助ビットとして複数回挿入して送出し、他のチャネル盤の補助受信部８により送信バス９上の補助ビットによる機能設定信号を抽出して、該チャネル盤の機能を設定する過程を含むことができる。又送信バス９上の空きビットに挿入する補助ビットを一定数のフレーム構成とし、複数のフレームにより複数のチャネル盤間のフレーム同期をとり、フレーム内の補助ビットの位置をチャネル盤に対応させて、複数のチャネル盤に対する補助信号を伝送する過程を含むことができる。
【００１３】
【発明の実施の形態】
図１は本発明の第１の実施の形態の説明図であり、２４チャネル多重化を行って１．５４４ＭｂｐｓのＰＣＭ信号で送受信する多重伝送装置の要部を示し、１は多重部、２−１〜２−２４はチャネル盤、３は多重送信部、４は多重受信部、５はデータ送信部、６はデータ受信部、７は補助送信部、８は補助受信部、９は送信バス、１０は受信バスを示す。又ＰＣＭＳはＰＣＭ送信信号、ＰＣＭＲはＰＣＭ受信信号、ＶＦＳはバス送信信号、ＶＦＲはバス受信信号を示す。
【００１４】
補助送信部７又は補助受信部８を送信バス９に接続して、点線矢印で示すように、チャネル盤間の通信を行うものであり、この補助送信部７と補助受信部８とを除いた構成は、従来例の多重伝送装置の構成と同様であり、重複する説明は省略する。
【００１５】
図２はフレーム構成説明図であり、送信バス９上に、２４チャネルｃｈ１〜ｃｈ２４を多重化したフレームは、フレーム同期ビット（フレームパルス）に相当する空きビットを含めて、１フレームを１２５μｓとする。即ち、各チャネルは８ビット構成であるから、８×２４＋１＝１９３（ビット）となり、１．５４４Ｍｂｐｓの伝送速度となる。この場合、送信バス９上に於いては、フレーム同期ビット（フレームパルス）が挿入されていないので、バス送信信号ＶＦＳとして示すように、チャネルｃｈ１の８ビット（ｃｈ１ビット１〜ｃｈ１ビット８）の先頭のフレーム同期ビット（フレームパルス）位置が空きビット位置となる。そして、多重送信部３からのＰＣＭ送信信号ＰＣＭＳは、Ｆビットとして示すように、空きビット位置にフレーム同期ビット（フレームパルス）を挿入したフレーム構成とする。
【００１６】
又多重受信部４に於いて受信するＰＣＭ受信信号ＰＣＭＲは、Ｆビットとして示すフレーム同期ビット（フレームパルス）が挿入されており、このフレーム同期ビットを挿入した状態で受信バス１０に送出するから、バス受信信号ＶＦＲとＰＣＭ受信信号ＰＣＭＲとは図示のように同一のフレーム構成となる。
【００１７】
図３は本発明の第１の実施の形態の動作説明図であり、図２に於けるフレームとバス送信信号ＶＦＳとは同一であるが、送信バス９上のバス送信信号ＶＦＳのフレーム同期ビット（フレームパルス）位置に相当する位置の空きビットに、一方のチャネル盤の補助送信部７から補助ビットを挿入して送信すると、バス送信信号ＶＦＳは、図２に示す空きビット位置に補助ビットが挿入された状態で送信バス９により伝送される。そして、他方のチャネル盤の補助受信部８に於いて、この補助ビットを抽出する。従って、この補助ビットを単一或いは複数を用いて、チャネル盤間の通信を行うことができる。この場合、チャネル盤間には余分な信号線を布設する必要がないから、既設の多重伝送装置に於いても、チャネル盤間通信を可能とすることができる。又多重伝送装置の運用中に於いて、機能アップしたチャネル盤を順次挿抜して、チャネル盤間の通信により全体の機能をアップすることができる。
【００１８】
図４は本発明の第２の実施の形態の説明図であり、図１と同一符号は同一部分を示し、１１は補助信号生成部、１２は補助信号認識部、ＭＣＬＫは８ｋＨｚ及び６４ｋＨｚのマスタクロック信号を示す。この実施の形態は、チャネル盤２−２４からチャネル盤２−１に対して補助信号を伝送する場合を示し、チャネル盤２−２４の補助信号生成部１１に於いてマスタクロック信号ＭＣＬＫに従って生成した補助信号を、補助送信部７から送信バス９上の空きビットに補助信号を構成する補助ビットを挿入する。この場合の補助ビットは、１フレーム（１２５μｓ）周期で送出される。チャネル盤間の通信は主信号に比較して低速の８ｋＨｚの周期でも充分であり、チャネル盤間の信号線を増設することなく、各種のデータの通信も可能となる。
【００１９】
チャネル盤２−１の補助受信部８は、バス送信信号ＶＦＳの空きビット位置を後述の手段により検出して、送信バス９上の補助ビットを抽出し、補助信号認識部１２に転送する。補助信号認識部１２は、１フレーム周期の補助ビットを組立てて、チャネル盤２−２４からの補助信号を認識し、複数補助ビットにより構成された補助信号に従った処理を実行することができる。
【００２０】
例えば、図５に示すように、フレーム同期ビット位置の空きビットに、ＶＦＳとして示すように補助ビットを挿入して送出し、補助信号フレーム構成とした各フレーム１〜ｎを１〜Ｎビット構成とすると、各フレーム１〜ｎは、それぞれ（＊１１〜＊１Ｎ）〜（＊ｎ１〜＊ｎＮ）ビット構成となり、補助信号認識部１２に於いて補助信号フレーム同期をとって補助信号を認識することができる。従って、各種の情報をチャネル盤間で送受信することが可能となる。
【００２１】
図６は本発明の第３の実施の形態の説明図であり、図１と同一符号は同一部分を示す。この実施の形態に於いては、チャネル盤２−１〜２−２４は、図１と逆順に配置した場合を示し、又２１はマスタタイミング発生部、２２はスレーブタイミング発生部、２３−１〜２３−２４はチャネル盤対応に接続した６４ｋｂｐｓの伝送速度の端末装置等の外部機器、ＭＣＬＫは８ｋＨｚ及び６４ｋＨｚのマスタクロック信号を示す。
【００２２】
チャネル盤２−１のマスタタイミング発生部２１からのタイミング信号を、補助送信部７により送信バス９上の空きビット位置、即ち、バス送信信号ＶＦＳのフレーム同期ビット位置に挿入して送出する。他のチャネル盤２−２〜２−２４のスレーブタイミング発生部２２は、補助受信部８に於いて抽出したタイミング信号に同期化したタイミング信号を発生する。従って、チャネル盤２−１をマスタとして、他のチャネル盤２−２〜２−２４のタイミング位相を同期化することができる。
【００２３】
図７は本発明の第３の実施の形態の動作説明図であり、（ａ）は本発明を適用する前の動作を示し、８ｋＨｚ（１２５μｓ周期）のマスタクロック信号ＭＣＬＫに各チャネル盤２−１〜２−２４は同期して、送受信処理するもので、ｃｈ１，ｃｈ２４はチャネル盤２−１，２−２４に於けるビットの処理タイミングを示し、ＶＦＳはバス送信信号で、太線はフレーム同期ビット位置に相当する空きビット位置を示す。
【００２４】
各チャネル盤に於いては、８ｋＨｚの周期で同期がとれているとしても、例えば、ｃｈ１で示すチャネル盤２−１のビットａ８のタイミングと、ｃｈ２４で示すチャネル盤２−２４のビットｂ８のタイミングとが一致し、チャネル盤２−１のビットｂ８と、チャネル盤２−２４のビットｃ８とが一致するが、ｂ１〜ｂ８のような８ビット単位のデータとしては同期していないものである。
【００２５】
又（ａ）の下方は本発明の実施の形態による動作を示し、ＭＣＬＫはマスタクロック信号、ＦＰはフレームパルス、ｃｈ１補助信号生成は、マスタタイミング発生部２１からのタイミング信号、ｃｈ１はチャネル盤２−１の信号、ＶＦＳへ補助信号挿入は、バス送信信号ＶＦＳの空きビット位置に補助信号（タイミング信号）を挿入するタイミングを示し、ＶＦＳは、バス送信信号を示し、太線は補助信号挿入位置を示す。又補助信号抽出は、バス送信信号ＶＦＳから抽出した補助信号、即ち、タイミング信号を示す。又ｃｈ２４ｈは、チャネル盤２−２４の信号を示す。
【００２６】
チャネル盤２−１のマスタタイミング発生部２１から、フレームパルスＦＰに同期し、図７のｃｈ１補助信号生成として示すタイミング信号を発生し、補助送信部７から送信バス９上のバス送信信号ＶＦＳの空きビット位置（フレーム同期ビット位置）に挿入して送出する。他のチャネル盤２−２〜２−２４の補助受信部は、補助信号抽出として示すように、バス送信信号ＶＦＳからタイミング信号を抽出し、スレーブタイミング発生部２２からのタイミング信号の位相を制御する。それにより、ｃｈ１，ｃｈ２４として示すように、各チャネル盤の８ビットデータ単位で位相同期した状態となる。
【００２７】
図８は擬似ＦＰ生成部の説明図であり、前述のマスタタイミング発生部２１を有するチャネル盤が多重部からフレームパルスＦＰを得ることができない場合に、マスタタイミング発生部２１に擬似ＦＰ生成部を設けるもので、この擬似ＦＰ生成部は、１．５４４ＭＨｚのマスタクロック信号ＭＣＬＫと、６マルチフレーム毎のセレクト信号ＳＩＧＳＥＬとを用いて、擬似ＦＰ信号を生成する場合を示し、３１は微分回路、３２は分周回路、３３は微分回路を示す。
【００２８】
図９は擬似ＦＰ生成説明図であり、図８を参照して説明する。６マルチフレーム毎のセレクト信号ＳＩＧＳＥＬを微分回路３１に於いてマスタクロック信号ＭＣＬＫのタイミングで微分する。図９に於いては立下がり微分出力をＸ６ＦＰ信号として出力する場合を示し、分周回路３２のリセット信号とする。この分周回路３２は、マスタクロック信号ＭＣＬＫを１／１９３に分周するもので、この分周出力信号を微分回路３３に於いてマスタクロック信号ＭＣＬＫのタイミングで微分すると、１フレーム周期の擬似ＦＰ信号を出力することができる。従って、この擬似ＦＰ信号を基にマスタタイミング発生部２１で発生させたタイミング信号を各チャネル盤に供給し、チャネル盤間の位相同期化を行うことができる。なお、１２マルチフレーム又は（２４マルチフレーム）は、システム構成によって何れかのマルチフレーム構成が適用される場合について示すものである。
【００２９】
図１０は本発明の第４の実施の形態の説明図であり、（Ａ）はシステム構成図、（Ｂ）はＭビット位相説明図である。又（Ａ）に於いて、図１と同一符号は同一部分を示し、４０はバス（図１の送信バス９に対応）、４１−１〜４１−２４は基地局、４２は移動局を示す。この場合の多重伝送装置は、多重部１とチャネル盤２−１〜２−２４とをバス４０を介して接続し、チャネル盤２−１〜２−２４と基地局４１−１〜４１−２４とを、ＩＴＵ−Ｔ勧告によるＩ．４３０回線で接続した場合を示し、このＩ．４３０回線は、チャネル盤と基地局との間でＩ．４３０フレーム同期を行うものである。
【００３０】
又チャネル盤２−１をマスタとし、他のチャネル盤２−２〜２−２４をスレーブとして、図６及び図１１に示すように、５ｍｓ毎のＭビットの“１”のタイミングに合わせて、チャネル盤間のＭビット位相同期をとるものである。この状態を図１０の（Ｂ）に示すもので、チャネル盤２−１と基地局４１−１との間を▲１▼、チャネル盤２−２と基地局４１−２との間を▲２▼、チャネル盤２−２４と基地局４１−２４との間を▲３▼として示し、チャネル盤間のＭビット同期により、フレーム同期がとれるから、例えば、移動局４２が基地局４１−２４のエリアから基地局４１−２のエリアに移動した場合に、チャネル盤２−２４とチャネル盤２−２とはＭビット同期がとれていることにより、チャネル盤２−２４による信号からチャネル盤２−２による信号に切替えても瞬断が生じることがなく、ハンドオーバが容易となる。又他の基地局のエリアに移動局が移動した場合も、チャネル盤間はＭビット同期がとれているから、同様にハンドオーバが容易となる。
【００３１】
図１１はＭビット同期の説明図であり、前述のように、チャネル盤２−１をマスタとし、他のチャネル盤２−２〜２−２４をスレーブとして、チャネル盤間のＭビット同期をとる場合を示し、１．５４４ＭＨｚのマスタクロック信号ＭＣＬＫと、１２５μｓ周期のフレームパルスＦＰとを基に、Ｍビット同期をとる為の補助信号（タイミング信号）を生成する。又ｃｈ１，ｃｈ２４はチャネル盤２−１，２−２４のデータ、ＶＦＳはバス送信信号を示し、補助信号挿入と抽出との関連を示すものである。又Ｉ．４３０フレームについては、その単位フレーム周期は２５０μｓ（４８ビット）であり、フレーム番号とＭビットとＦA ビットとを対応して示すように、フレーム番号１〜２０について、２０フレーム毎に、Ｍビットは太枠内に示すように“１”となり、又ＦA ビットは、フレーム番号１，６，１１，１６，２０の５フレーム毎に“１”となる。従って、“１”のＭビットは５ｍｓ周期となる。
【００３２】
チャネル盤２−１に於いては、この補助信号（タイミング信号）にＭビットを同期化して、ｃｈ１として示すように、ビットａ１〜ａ８，ｂ１・・・ｎ８のデータを処理する。又補助信号挿入として示すように、前述のチャネル盤間を接続するバス４０の送信バス上のバス送信信号ＶＦＳの空きビット位置に、太線で示すように挿入して、チャネル盤２−１から他のチャネル盤２−２〜２−２４に転送する。他のチャネル盤２−２〜２−２４に於いては、この補助信号（タイミング信号）を抽出し、この補助信号（タイミング信号）にＭビットを同期化させてデータを処理する。従って、図１０の（Ｂ）に示すように、各チャネル盤間のＭビット同期がとれることになる。
【００３３】
図１２は本発明の第５の実施の形態の説明図であり、図１及び図４と同一符号は同一部分を示し、５１は機能設定制御部、５２は機能設定受動部を示す。この実施の形態に於いては、チャネル盤２−１に設けた機能設定制御部５１から他のチャネル盤２−２〜２−２４に設けた機能設定受動部５２に、設定データを補助ビットを用いて転送するものである。
【００３４】
例えば、機能設定制御部５１から他のチャネル盤に対する機能設定データを、補助送信部７により、送信バス９上の空きビット位置に補助ビットとして挿入して送出し、指定されたチャネル盤の補助受信部８により抽出し、機能設定受動部５２に転送して、機能設定データに組立て、その内容に従った機能を設定することができる。この場合、機能設定データの前にチャネル盤のアドレスを付加することにより、補助受信部８に於いて自チャネル盤が指定されたことをアドレスにより識別した時に、その次の機能設定データを取り込むように制御することもできる。又マスタのチャネル盤２−１からの実装位置等に従った順序で、固定長の機能設定データを送出することにより、スレーブのチャネル盤は、実装位置に従った順序の機能設定データを取り込むことができる。
【００３５】
図１３は補助信号の説明図であり、ｃｈ１〜ｃｈ２４で示す２４チャネルを多重化した送信バス上の１２５μｓのフレーム部の先頭に前述のように空きビットが存在し、この空きビットに補助信号を構成する補助ビットを挿入して送信バスに送出し、この送信バスを介してチャネル盤間の通信を行うものであり、例えば、補助信号の２５ビット分を補助信号のフレームとし、オール“０”のフレームとオール“１”のフレームとを伝送して、チャネル盤間のフレーム同期をとる同期引込モードとする。この場合の繰り返し回数は、予め定めておくもので、通常は２回程度で充分である。
【００３６】
そして、同期引込モードの次に補助信号送受モードに移行し、２４チャネル分ｃｈ１〜ｃｈ２４対応の補助信号の最後に、フレーム毎に交互に“０”，“１”のフレーム後部を示すビットを付加し、これをフレーム同期ビットとする２５ビット構成のフレームを伝送する。各チャネル盤は、自チャネル盤対応のフレーム内タイミングの補助ビット（図１３の符号５３参照）を抽出して、補助信号を組立てる。
【００３７】
この場合、例えば、図１２に於けるチャネル盤２−１からチャネル盤２−２４に対して機能設定する補助信号を送出する場合は、補助信号フレームのｃｈ２４に所定の長さの補助信号の各ビットを設定して補助送信部７から送信バス９に送出すると、チャネル盤２−２４の補助受信部８は、同期引込モードによる補助信号フレームに同期して、補助信号送受モードに於けるｃｈ２４のタイミングのビットを抽出し、機能設定受動部５２に於いて組立てて、補助信号による機能設定を行うことができる。
【００３８】
図１４は本発明の第６の実施の形態の説明図であり、図１及び図４と同一符号は同一部分を示し、２はチャネル盤２−１〜２−２４を代表して示すチャネル盤、６１は選択制御部、６３はチャネル選択信号である。なお、補助送信部７を介して補助信号を送出する為のタイミング発生部や補助信号生成部等は図示を省略し、又補助受信部８を介して受信した補助信号を用いるタイミング発生部や補助信号受信処理部等も図示を省略している。又データ送信部５は、フレームパルスＦＰに同期したチャネル選択信号６３により送信バス９にデータを送出する。
【００３９】
この実施の形態は、多重部１から、例えば、１２５μｓ周期のフレームパルスＦＰと、１．５４４Ｍｂｐｓの速度のマスタクロック信号ＭＣＬＫと、６マルチフレーム周期のセレクト信号ＳＩＧＳＥＬとをチャネル盤２が受信し、フレームパルスＦＰに同期して、補助送信部７は、補助信号を送信バス９に送出し、又補助受信部８は、送信バス９上の補助信号を受信することができるものであり、選択制御部６１は、補助送信部７と補助受信部８との何れかの機能を選択して動作させるものである。即ち、チャネル盤は同一構成とし、マスタとなるチャネル盤に於いては、補助送信部７を動作状態とし、スレーブとなるチャネル盤に於いては、補助受信部８を動作状態とするように制御することができる。
【００４０】
図１５は本発明の第７の実施の形態の説明図であり、図１４と同一符号は同一部分を示し、６２は擬似ＦＰ生成部である。この実施の形態は、多重部１からフレームパルスＦＰをチャネル盤２に供給しない場合に、多重部１からのマスタクロック信号ＭＣＬＫと、セレクト信号ＳＩＧＳＥＬとを用いて、擬似ＦＰ生成部６２に於いて図８及び図９につて説明したように、擬似ＦＰ信号を生成して、補助送信部７と補助受信部８とに供給するものである。
【００４１】
又選択制御部６１は、予め固定的に補助送信部７又は補助受信部８を動作状態とするように制御するように設定することも可能であり、又図１２について説明したように、補助信号を用いて任意に設定することも可能である。
【００４２】
本発明は、前述の各実施の形態にのみ限定されるものではなく、種々付加変更することが可能であり、６４ｋｂｐｓの低次群のデータを１．５４４Ｍｂｐｓに多重化して送受信する多重伝送装置のみでなく、他の伝送速度の多重伝送装置のチャネル盤間通信にも適用可能である。
【００４３】
【発明の効果】
以上説明したように、本発明は、多重部１と複数のチャネル盤２−１〜２−２４との間を送信バス９及び受信バス１０を介して接続し、送信バス上の空きビットを利用して、チャネル盤間の通信を行うものであり、従って、チャネル盤間に余分な信号線を布設する必要がなく、チャネル盤間の位相同期や機能設定等の為のチャネル盤間の通信を経済的に行うことができる利点がある。又既設の多重伝送装置に於いても、補助送信部７と補助受信部８との何れか一方或いは両方の機能を搭載したチャネル盤を順次交換することにより、チャネル盤間の通信を可能とする構成に変更することができる。即ち、完全に運用を停止することなく、チャネル盤間の通信が可能の構成とすることができる。
【図面の簡単な説明】
【図１】本発明の第１の実施の形態の説明図である。
【図２】フレーム構成の説明図である。
【図３】本発明の第１の実施の形態の動作説明図である。
【図４】本発明の第２の実施の形態の説明図である。
【図５】本発明の第２の実施の形態の動作説明図である。
【図６】本発明の第３の実施の形態の説明図である。
【図７】本発明の第３の実施の形態の動作説明図である。
【図８】擬似ＦＰ生成部の説明図である。
【図９】擬似ＦＰ生成説明図である。
【図１０】本発明の第４の実施の形態の説明図である。
【図１１】Ｍビット同期の説明図である。
【図１２】本発明の第５の実施の形態の説明図である。
【図１３】補助信号の説明図である。
【図１４】本発明の第６の実施の形態の説明図である。
【図１５】本発明の第７の実施の形態の説明図である。
【図１６】多重伝送装置の説明図である。
【図１７】従来例の補助信号送受信構成の説明図である。
【符号の説明】
１  多重部
２−１〜２−２４  チャネル盤
３  多重送信部
４  多重受信部
５  データ送信部
６  データ受信部
７  補助送信部
８  補助受信部
９  送信バス
１０  受信バス
ＶＦＳ  バス送信信号
ＶＦＲ  バス受信信号
ＰＣＭＳ  ＰＣＭ送信信号
ＰＣＭＲ  ＰＣＭ受信信号
【図１】
0003728595.tif 000002
【図２】
0003728595.tif 000003
【図３】
0003728595.tif 000004
【図４】
0003728595.tif 000005
【図５】
0003728595.tif 000006
【図６】
0003728595.tif 000007
【図７】
0003728595.tif 000008
【図８】
0003728595.tif 000009
【図９】
0003728595.tif 000010
【図１０】
0003728595.tif 000011
【図１１】
0003728595.tif 000012
【図１２】
0003728595.tif 000013
【図１３】
0003728595.tif 000014
【図１４】
0003728595.tif 000015
【図１５】
0003728595.tif 000016
【図１６】
0003728595.tif 000017
【図１７】
0003728595.tif 000018